(57)【要約】      （修正有）【課題】貰った名刺と名刺に係る人物に関する情報、又は渡そうとする名刺と渡す相手に対するメッセージを関連付けることができ、通常の名刺と同様の取り扱いができ、名刺を汚すことも防止できる名刺ホルダーメモを提供する。【解決手段】折り曲げ部１４、１６において名刺の２つの角部を包囲することで名刺を保持するホルダーであって、裏面部１２に情報記入領域を設けたので、名刺に係る人物に関する情報等を記載することによって、名刺を汚すことなく、名刺と名刺に係る人物の情報とを関連付けた状態で名刺を保管することができる。【選択図】図２
0003163425.tif 000002
【実用新案登録請求の範囲】
【請求項１】
折り曲げ部（１４、１６）において名刺（２）の少なくも２つの角部を包囲することで該名刺（２）を保持するホルダーであって、裏面部（１２）又は前記折り曲げ部（１４、１６）に、名刺（２）に係る人物に関する情報又は名刺（２）に係る人物に向けてのメッセージが記入される情報記入領域（２０）を設けたことを特徴とする名刺ホルダーメモ。
【請求項２】
前記折り曲げ部（１４、１６）は、前記名刺（２）の１つの角部を包囲する第１の折り曲げ部（１４）と、前記角部の対角を包囲する第２の折り曲げ部（１６）と、からなることを特徴とする請求項１に記載の名刺ホルダーメモ。
【請求項３】
環状に形成された透明又は半透明のシート材によって名刺（２）を包囲するホルダーであって、表面部又は裏面部に、名刺（２）に係る人物に関する情報又は名刺（２）に係る人物に向けてのメッセージが記入される情報記入領域（４２０）を設けたことを特徴とする名刺ホルダーメモ。
【請求項４】
前記情報記入領域（２０）は、前記ホルダーの裏面部（１２）に設けられると共に、日付を記入する欄（２１）と、時間を記入する欄（２２）と、場所を記入する欄（２３）と、天気を記入する欄（２４）と、名刺に係る人物に関する情報を記入する欄（２５）とを含んで構成されることを特徴とする請求項１〜請求項３のいずれか１つの請求項に記載の名刺ホルダーメモ。
【考案の詳細な説明】
【技術分野】
【０００１】
本考案は、名刺を保持するためのホルダーに関し、特に、名刺に係る人物に関する情報又は名刺に係る人物に向けてのメッセージを、該名刺と関連付けた状態で名刺を保護することができる名刺ホルダーメモに関する。
【背景技術】
【０００２】
初対面の人から名刺を貰った場合、名刺の人物に関する情報を思い出すことができるようにするために、名刺にその人物に関する情報を記載する場合があるが、貰った名刺に直接記載するのは失礼に当たるとして抵抗を感ずる者も多く、また名刺を保護する観点からも好ましくない。
また、目的の人物との対面が叶わない場合、名刺のみで来訪の目的を伝えようとして、自己の名刺にメッセージを記載する場合があるが、自己の名刺に直接記載することに抵抗を感ずる者もある。
このため、長方形の台紙上に用件を伝えるメモ欄と、名刺を着脱自在に収容する名刺挿入口を設けたメモ欄付名刺挿入用台紙が提案されている（特許文献１参照）。
また、名刺を受け取った者が、気兼ねなく名刺に必要事項を記載することができるように、メモ欄を設けた名刺も提案されている（特許文献２参照）。
【先行技術文献】
【特許文献】
【０００３】
【特許文献１】特開２００６−２３１８９３号公報
【特許文献２】実用新案登録第３０３７３７２号公報
【考案の概要】
【考案が解決しようとする課題】
【０００４】
しかしながら、特許文献１に開示のメモ欄付名刺挿入用台紙は、名刺を貰った全ての人について、その情報を記憶に留める必要がある場合には有効であるが、情報を記憶に留めておく必要がある名刺を、その必要のない名刺と共に名刺収納箱等に収容することができず、メモ書きの必要のない名刺のための管理手段を別箇用意する必要がある。
また、特許文献２に開示の名刺は、名刺に直接記載することや、目の前で直接名刺に記載されることに対して、何らかの抵抗を感じる者にとっては好ましくない。
【０００５】
そこで、本考案は、貰った名刺と名刺に係る人物に関する情報、又は渡そうとする名刺と渡す相手に対するメッセージを関連付けることができ、通常の名刺と同様の取り扱いができ、名刺を汚すことも防止できる名刺ホルダーメモの提供を目的とする。
【課題を解決するための手段】
【０００６】
上記課題を解決するために、本考案に係る名刺ホルダーメモは、折り曲げ部において名刺の少なくも２つの角部を包囲することで該名刺を保持するホルダーであって、裏面部又は前記折り曲げ部に、名刺に係る人物に関する情報又は名刺に係る人物に向けてのメッセージが記入される情報記入領域を設けたことを特徴とするものである。
この場合、前記折り曲げ部は、前記名刺の１つの角部を包囲する第１の折り曲げ部と、前記角部の対角を包囲する第２の折り曲げ部と、からなるものであってもよい。
【０００７】
また、本考案に係る名刺ホルダーメモは、環状に形成された透明又は半透明のシート材によって名刺を包囲するホルダーであって、表面部又は裏面部に、名刺に係る人物に関する情報又は名刺に係る人物に向けてのメッセージが記入される情報記入領域を設けたことを特徴とするものである。
前記情報記入領域は、前記ホルダーの裏面部に設けられると共に、日付を記入する欄と、時間を記入する欄と、場所を記入する欄と、天気を記入する欄と、名刺に係る人物に関する情報を記入する欄とを含んで構成されたものであってもよい。
【考案の効果】
【０００８】
請求項１に係る名刺ホルダーメモは、折り曲げ部において名刺の少なくも２つの角部を包囲することで該名刺を保持するホルダーであって、そのホルダーの裏面部又は前記折り曲げ部に情報記入領域を設けたので、その情報記入領域に、貰った名刺と名刺に係る人物に関する情報、又は渡そうとする名刺と渡す相手に対するメッセージを記載することによって、名刺を汚すことなく、その名刺と名刺に係る人物の情報、又は名刺を渡そうとする人へのメッセージを関連付けることができる。
また、この名刺ホルダーメモは、折り曲げ部において名刺の少なくも２つの角部を包囲することで名刺を保持するので、名刺と略同一の大きさに形成することができ、汎用されている名刺整理用具に、通常の名刺と同様に収容することができる。
【０００９】
これによって、貰った名刺と名刺に係る人物に関する情報、又は渡そうとする名刺と渡す相手に対するメッセージを関連付けることができると共に、通常の名刺と同様の取り扱いができ、名刺を保護することもできる。
請求項２に係る名刺ホルダーメモは、前記折り曲げ部を、名刺の１つの角部を包囲する第１の折り曲げ部と、この角部の対角を包囲する第２の折り曲げ部とで構成したので、名刺ホルダーメモに収容された名刺を外れ難くすることができる。
【００１０】
請求項３に係る名刺ホルダーメモは、環状に形成された透明又は半透明のシート材によって名刺を包囲するホルダーであって、表面部又は裏面部に、名刺に係る人物に関する情報又は名刺に係る人物に向けてのメッセージを記入する情報記入領域を設けたので、その情報記入領域に、貰った名刺と名刺に係る人物に関する情報、又は渡そうとする名刺と渡す相手に対するメッセージを記載することによって、名刺を汚すことなく、その名刺と名刺に係る人物の情報、又は名刺を渡そうとする人へのメッセージを関連付けることができる。
このホルダーは、環状に形成されたシート材で名刺を包囲するので、名刺と略同一の大きさに形成することができ、汎用されている名刺収整理用具に、通常の名刺と同様に収容することができる。また、透明又は半透明のシート材によって名刺を包囲しているので、シート材を透して名刺の表示を視認することができ、名刺の表示を視認するためにホルダーから名刺を取り出す必要がない。
これによって、貰った名刺と名刺に係る人物に関する情報、又は渡そうとする名刺と渡す相手に対するメッセージを関連付けることができると共に、通常の名刺と同様の取り扱いができ、名刺を保護することもできる。
【００１１】
請求項４に係る名刺ホルダーメモは、前記情報記入領域を、日付を記入する欄と、時間を記入する欄と、場所を記入する欄と、天気を記入する欄と、名刺に係る人物に関する情報を記入する欄とを含んで構成したので、必要な情報を漏れなく記載することができ、その情報を活用することで、後日、その者と面接した際のコミュニケーションを良好なものとすることができる。
【図面の簡単な説明】
【００１２】
【図１】本考案の第１実施形態に係る名刺ホルダーメモを示す正面図である。
【図２】上記名刺ホルダーメモの使用状態を示す斜視図である。
【図３】上記名刺ホルダーメモの背面図である。
【図４】上記名刺ホルダーメモを展開した状態を示す展開図である。
【図５】情報記入領域の変形例を示す背面図である。
【図６】本考案の第２実施形態に係る名刺ホルダーメモを示す正面図である。
【図７】上記名刺ホルダーメモの使用状態を示す斜視図である。
【図８】上記名刺ホルダーメモを展開した状態を示す展開図である。
【図９】上記名刺ホルダーメモの変形例を示す展開図である。
【図１０】本考案の第３実施形態に係る名刺ホルダーメモを示す正面図である。
【図１１】上記名刺ホルダーメモの使用状態を示す斜視図である。
【図１２】上記名刺ホルダーメモを展開した状態を示す展開図である。
【図１３】上記名刺ホルダーメモの変形例を示す正面図である。
【図１４】本考案の第４実施形態に係る名刺ホルダーメモの使用状態を示す斜視図である。
【図１５】上記名刺ホルダーメモを展開した状態を示す展開図である。
【図１６】本考案の第５実施形態に係る名刺ホルダーメモの使用状態を示す斜視図である。
【考案を実施するための形態】
【００１３】
本考案の好適な実施形態について、添付図面に基づいて説明する。なお、実施形態は以下の形態に限定されるものではなく、本考案の課題を解決しうるものであれば他の態様も実施可能である。
【実施例１】
【００１４】
図１は、本考案の実施形態に係る名刺ホルダーメモ１を示す正面図である。
この名刺ホルダーメモ１は、図２に示すように、名刺２に係る人物に関する情報を、その名刺２と関連付けた状態で管理することを可能にするものであり、名刺２を保持するホルダーの裏面１２に、情報記入領域２０を設けたものである（図３参照）。
このホルダーは、名刺２の少なくも２つの角部を包囲することで、この名刺２を保持するようになっており、名刺２を収容した際には、名刺２の右上の角部を包囲する第１の折り曲げ部１４と、この角部の対角を包囲する第２の折り曲げ部１６とが表れるようになっている。
【００１５】
このホルダーの裏面部１２には、図３に示すように、情報記入領域２０が形成されている。
この情報記入領域２０は、名刺２に係る人物に関する情報を記載する領域であって、名刺２を受け取った日付を記入する日付欄２１と、面接した時間や時刻を記入する時間欄２２と、面接に係る場所を記入する場所欄２３と、その日の天気を記入する天気欄２４と、名刺の人物の特徴、面接の目的や内容等を自由に記入する自由記載欄２５とによって構成される。
【００１６】
上記名刺ホルダーメモ１を展開すると、図４に示す形状のシート材３０になる。すなわち、このシート材３０は、四角形状の裏面部１２と、その対角に位置する角部に連続する三角形状の折り曲げ部１４、１６と、夫々の折り曲げ部１４、１６に連続するのりしろ１５、１７とによって構成されたもので、裏面部１２には、上記情報記入領域２０を有している。
このシート材３０は、紙など、筆記具で文字を記載することができる材料からなり、四角形状の裏面部１２は、一般的な名刺の大きさに合わせて形成されている。
【００１７】
このシート材３０の折り曲げ部１４、１６を裏面部１２の四角形状の辺に沿って折り曲げ、さらに、のりしろ１５、１７を三角形状の辺に沿って折り曲げ、裏面部１２の内側面に、のりしろ１５、１７を介して糊などで接着することによって、図１に示す名刺ホルダーメモ１を製造することができる。
次に、上記構成の名刺ホルダーメモ１の使用方法を説明する。
名刺２を受け取った後、名刺２の人物に関する記憶が新しい内に、名刺ホルダーメモ１の情報記入領域２０に必要事項を記入する。そして、折り曲げ部１４、１６に名刺２の角部を差し込む。すると、通常の名刺と同一のサイズになるので、通常の収納方法で収納できる。
【００１８】
また、名刺ホルダーメモ１の裏面部１２は通常のメモ用紙のように見えるので、会議中、情報記入領域２０に必要事項をメモしておき、会議が終わった後に、その名刺ホルダーメモ１に名刺２を差し込むようにすれば、名刺２の差出人に関する情報が名刺２と関連付けられた状態でメモされているということが悟られ難い。その者との次回の面会時には、情報記入領域２０に記載された情報を確認しておくことで、相手に好印象を与えることができ、円滑なコミュニケーションが可能となる。
なお、本考案における情報記入領域２０’は、図５に示すように、自由に記載ができるような無地の領域であってもよい。
【実施例２】
【００１９】
次に、本考案の第２実施形態に係る名刺ホルダーメモ１０１を、図６を参照して説明する。
この名刺ホルダーメモ１０１は、図７に示すように、名刺２の両側縁部を切込み１１８、１１９に差し込むことによって名刺２を保持している点、及び表面に位置する折り曲げ部１１４に情報記入領域１２０が設けられている点で、第１実施形態に係る名刺ホルダーメモ１と相違する。
【００２０】
この名刺ホルダーメモ１０１は、図８に示す形状のシート材１３０を折り曲げることによって製造される。すなわち、シート材１３０は、四角形状の裏面部１１２と、それに連続する四角形状の折り曲げ部１１４と、それに連続するのりしろ１１５とによって構成されており、折り曲げ部１１４の両側縁部には、名刺２の縦の長さに対応する長さの切込み１１８、１１９が形成されている。
切込み１１８と切込み１１９の間の情報記入領域１２０には、名刺に係る人に関する情報や、名刺を渡そうとする人へのメッセージを書き込むことができるようになっている。
【００２１】
このシート材１３０を、裏面部１１２の四角形に沿って折り曲げ、さらに、のりしろ１１５を折り曲げ部１１４の四角形に沿って折り曲げ、裏面部１１２とのりしろ１１５を接着することで、図６に示す名刺ホルダーメモ１０１を製造することができる。
情報記入領域１２０にメモ書きをした後、夫々の切込み１１８、１１９に名刺の側縁部を差し込むことによって、図７に示すように、折り曲げ部１１４において四隅を包囲した状態で、名刺２を保持できる。
【００２２】
このようにすることで、あたかも名刺２を装飾的に保護したような状態で、名刺２に係る人物とその人に対する情報とを関連付けたり、受取人に対してメッセージを表示したりすることができる。
なお、図９に示すように、裏面部１１２に、所定の記載枠からなる情報記入領域１２０’を設けても良い。
【実施例３】
【００２３】
本考案の第３実施形態に係る名刺ホルダーメモ２０１について、図１０を参照して説明する。
この名刺ホルダーメモ２０１は、折り曲げ部２１４において、名刺２の隣接する２つの角部を包囲することで名刺２を保持している（図１１参照）。
この名刺ホルダーメモ２０１は、図１２に示すように、名刺２の大きさに対応する四角形状の裏面部２１２と、縦方向にして裏面部２１２の約１／３の大きさの折り曲げ部２１４とからなる無地のシート材２３０を、それらの境界線に沿って折り曲げ、両側縁に設けられたのりしろ２１５、２１７において接合したものである。
【００２４】
折り曲げ部２１４は、図１１に示すように、名刺２を渡そうとする人へのメッセージを記載することで、情報記入領域２２０とすることができる。名刺２を直接手渡すことができない場合、渡そうとする人へのメッセージを名刺２に直接記載しないで済むので、名刺２を美しい状態に保つことができる。
なお、図１３に示すように、折り曲げ部にメッセージ欄を設けることによって、情報記入領域２２０’としてもよい。
【実施例４】
【００２５】
本考案の第４実施形態に係る名刺ホルダーメモ３０１について、図１４を参照して説明する。
この名刺ホルダーメモ３０１は、窓枠状の折り曲げ部３１４によって、名刺２の全ての角部を包囲するものである。この名刺ホルダーメモ３０１は、図１５に示すシート材３３０をのりしろ３１５で接合することによって形成されている。この名刺ホルダーメモ３０１の裏面部３１２には、情報記入領域３２０が設けられている。
【実施例５】
【００２６】
次に、本考案の第５実施形態に係る名刺ホルダーメモ４０１について、図１６を参照して説明する。
この名刺ホルダーメモ４０１は、環状に形成された透明又は半透明のシート材によって名刺２を包囲するホルダーであって、表面部又は裏面部の任意の情報記入領域４２０に、名刺の人物に関する情報又は名刺の人物に向けてのメッセージを記入できるようになっている。この名刺ホルダーメモ４０１に名刺２を収容することで、名刺２を汚すことなく、名刺２に必要情報を書き込んだのと同様の視覚的効果を与えることができる。
【００２７】
また、環状に形成されたシート材で名刺２を包囲するので、名刺３と略同一の大きさにすることができ、通常の名刺と同様に管理することができる。
【産業上の利用可能性】
【００２８】
本考案は、名刺に係らず、クレジットカード、病院の診察券等を、そのカードに関する情報と関連付けた状態で保持するためにも利用することができる。
【符号の説明】
【００２９】
１、１０１、２０１、３０１、４０１…名刺ホルダーメモ
２…名刺
１２、１１２、２１２、３１２…裏面部
１４、１６、１１４、２１４、３１４…折り曲げ部
１５、１７、１１５、２１５、２１７、３１５…のりしろ
２０、１２０、２２０、３２０、４２０…情報記入領域
２１…日付欄
２２…時間欄
２３…場所欄
２４…天気欄
２５…自由記載欄
３０、１３０、２３０、３３０…シート材
１１８、１１９…切込み
【図１】
0003163425.tif 000003
【図２】
0003163425.tif 000004
【図３】
0003163425.tif 000005
【図４】
0003163425.tif 000006
【図５】
0003163425.tif 000007
【図６】
0003163425.tif 000008
【図７】
0003163425.tif 000009
【図８】
0003163425.tif 000010
【図９】
0003163425.tif 000011
【図１０】
0003163425.tif 000012
【図１１】
0003163425.tif 000013
【図１２】
0003163425.tif 000014
【図１３】
0003163425.tif 000015
【図１４】
0003163425.tif 000016
【図１５】
0003163425.tif 000017
【図１６】
0003163425.tif 000018